(57)【要約】  【課題】  システムの設置にかかる手間を低減することができる映像信号送信装置および映像信号受信装置を提供する。  【解決手段】  映像信号送信装置５乃至７は、カメラ２乃至４によって撮影された画像の輝度を３原色のうち１色の濃淡で表す映像信号を生成する映像信号生成手段を備え、映像信号受信装置８は、３原色のなかで互いに異なる色の濃淡で複数の輝度画像がそれぞれ表された映像信号から１つの色の成分を分離する映像信号分離手段を備え、カメラ２乃至４によって撮影された何れか画像を表示装置９に表示する。【選択図】  図２
2007043470.tif 000002
【特許請求の範囲】
【請求項１】
撮影装置で得られる画像の輝度を３原色のうち１色の濃淡で表す映像信号を生成する映像信号生成手段を備えた映像信号送信装置。
【請求項２】
外部から入力された外部映像信号に前記映像信号生成手段によって生成された映像信号を合成する映像信号合成手段を備えたことを特徴とする請求項１に記載の映像信号送信装置。
【請求項３】
請求項１または請求項２に記載の映像信号送信装置を備えた撮影装置。
【請求項４】
３原色のなかで互いに異なる色の濃淡で複数の輝度画像がそれぞれ表された映像信号から１つの色の成分を分離する映像信号分離手段を備えた映像信号受信装置。
【請求項５】
前記映像信号分離手段によって分離された成分を画像として表示する表示装置を備えたことを特徴とする請求項４に記載の映像信号受信装置。
【発明の詳細な説明】
【技術分野】
【０００１】
本発明は、複数の映像信号を伝送する映像信号伝送システムを構成する映像信号送信装置および映像信号受信装置に関するものである。
【背景技術】
【０００２】
従来、複数のカメラによって撮影された映像をＣＰＵ（Central Processing Unit）で合成し、合成した画像を表示装置に表示させるものがある（例えば、特許文献１参照）。
【特許文献１】特開２００４−３１２５２３公報（第４頁、第１図）
【発明の開示】
【発明が解決しようとする課題】
【０００３】
しかしながら、このような従来の技術では、カメラの設置数に応じて、ＣＰＵから各カメラまでの配線を要するため、配線が複雑になり、システムの設置に手間がかかるといった問題があった。
【０００４】
本発明は、従来の問題を解決するためになされたもので、システムの設置にかかる手間を低減することができる映像信号送信装置および映像信号受信装置を提供することを目的とする。
【課題を解決するための手段】
【０００５】
本発明の映像信号送信装置は、撮影装置で得られる画像の輝度を３原色のうち１色の濃淡で表す映像信号を生成する映像信号生成手段を備えた構成を有している。
【０００６】
この構成により、本発明の映像信号送信装置は、３つの輝度画像を１つの映像信号に合成して１つの配線で送信することができるため、システムの設置にかかる手間を低減することができる。
【０００７】
なお、本発明の映像信号送信装置は、外部から入力された外部映像信号に前記映像信号生成手段によって生成された映像信号を合成する映像信号合成手段を備えるようにしてもよい。
【０００８】
また、本発明の撮影装置は、前記映像信号送信装置を備えている。
【０００９】
この構成により、本発明の撮影装置は、撮影した画像に含まれる輝度画像と他の撮影装置によって撮影された画像に含まれる輝度画像とを１つの映像信号に合成して１つの配線で送信することができるため、システムの設置にかかる手間を低減することができる。
【００１０】
また、本発明の映像信号受信装置は、３原色のなかで互いに異なる色の濃淡で複数の輝度画像がそれぞれ表された映像信号から１つの色の成分を分離する映像信号分離手段を備えた構成を有している。
【００１１】
この構成により、本発明の映像信号受信装置は、３つの輝度画像が合成された１つの映像信号を１つの配線から受信することができるため、システムの設置にかかる手間を低減することができる。
【００１２】
なお、本発明の映像信号受信装置は、前記映像信号分離手段によって分離された成分を画像として表示する表示装置を備えるようにしてもよい。
【発明の効果】
【００１３】
本発明は、システムの設置にかかる手間を低減することができる映像信号送信装置および映像信号受信装置を提供することができる。
【発明を実施するための最良の形態】
【００１４】
以下、本発明の実施の形態について、図面を参照して説明する。
【００１５】
なお、本実施の形態においては、本発明に係る映像信号送信装置および映像信号受信装置を車両に搭載される映像信号伝送システムに適用した例について説明する。
【００１６】
本発明の一実施の形態の映像信号伝送システムを図１および図２に示す。
【００１７】
映像信号伝送システム１は、車両の外部を撮影する撮影装置を構成する３つのカメラ２乃至４と、カメラ２乃至４にそれぞれ接続される映像信号送信装置５乃至７と、映像信号送信装置５乃至７を介して送信された映像信号を受信する映像信号受信装置８と、画像を表示する表示装置９とを備えている。
【００１８】
カメラ２乃至４は、図２に示す実装例のように、車両左後方、車両後方および車両右後方にそれぞれ設けられ、車両左後方、車両後方および車両右後方をそれぞれ撮影するようになっている。
【００１９】
映像信号送信装置５は、図３に示すように、第１入力端子２０から入力された映像信号から輝度信号を抽出する輝度信号抽出部２１と、輝度信号抽出部２１によって抽出された輝度信号をバッファリングするバッファ２２と、バッファ２２にバッファリングされた輝度信号を変換色の濃淡で表した映像信号を生成する映像信号生成部２３と、３原色から変換色が指定される変換色指定部２４と、第１入力端子２０から入力された映像信号から同期信号を検出する同期信号検出部２５と、第２入力端子２６から入力された外部映像信号から同期信号を検出する同期信号検出部２７と、同期信号検出部２５によって検出された同期信号および外部映像信号の何れか一方を選択する第１の選択部２８と、同期信号検出部２５によって検出された同期信号および同期信号検出部２７によって検出された同期信号の何れか一方を選択する第２の選択部２９と、第２の選択部２９によって選択された同期信号に基づいてバッファ２２の出力タイミングを制御するタイミング制御部３０と、第１の選択部２８によって選択された映像信号に映像信号生成部２３によって生成された映像信号を合成する映像信号合成部３１とを備えている。
【００２０】
ここで、映像信号合成部３１によって合成される映像信号は、コンポジット信号であって、例えば、ＮＴＳＣ（National Television System Committee）規格に準拠している。
【００２１】
輝度信号抽出部２１、映像信号生成部２３、同期信号検出部２５、同期信号検出部２７、第１の選択部２８、第２の選択部２９、タイミング制御部３０および映像信号合成部３１は、例えば、ＬＳＩ（Large Scale Integration）等の集積回路によって構成され、変換色指定部２４は、例えば、ディップスイッチによって構成される。
【００２２】
また、映像信号生成部２３は、本発明における映像信号生成手段を構成し、映像信号合成部３１は、本発明における映像信号合成手段を構成する。
【００２３】
第１の選択部２８は、同期信号検出部２７によって同期信号が検出された場合には、外部映像信号を選択し、同期信号検出部２７によって同期信号が検出されなかった場合には、同期信号検出部２５により第１入力端子２０から入力された映像信号から得られた同期信号を選択するようになっている。
【００２４】
第２の選択部２９は、同期信号検出部２７によって同期信号が検出された場合には、同期信号検出部２７によって同期信号を選択し、同期信号検出部２７によって同期信号が検出されなかった場合には、同期信号検出部２５により第１入力端子２０から入力された映像信号から得られた同期信号を選択するようになっている。
【００２５】
映像信号送信装置６、７は、映像信号送信装置５とそれぞれ同一に構成されている。映像信号送信装置５乃至７の第１入力端子２０には、カメラ２乃至４がそれぞれ接続され、カメラ２乃至４によって撮影された画像を表す映像信号がそれぞれ入力される。
【００２６】
映像信号送信装置５の出力端子３２は、例えば、１本の同軸ケーブルで映像信号送信装置６の第２入力端子２６に接続されている。同様に、映像信号送信装置６の出力端子３２は、映像信号送信装置７の第２入力端子２６に接続され、映像信号送信装置７の出力端子３２は、映像信号受信装置８に接続されている。
【００２７】
ここで、本実施の形態において、映像信号送信装置５の変換色指定部２４には、「赤」が指定され、映像信号送信装置６の変換色指定部２４には、「緑」が指定され、映像信号送信装置７の変換色指定部２４には、「青」が指定されているものとする。
【００２８】
映像信号受信装置８は、図４に示すように、入力端子４０から入力された入力映像信号から同期信号を検出する同期信号検出部４１と、３原色から選択色が指定される選択色指定部４２と、選択色指定部４２によって選択された選択色の成分を入力映像信号から抽出する選択色抽出部４３と、選択色抽出部４３によって抽出された選択色の成分に基づいて映像信号を生成する映像信号生成部４４と、映像信号生成部４４によって生成された映像信号をバッファリングするバッファ４５と、同期信号検出部４１によって検出された同期信号に基づいてタイミング信号を生成するタイミング信号生成部４６とを備えている。
【００２９】
同期信号検出部４１、選択色抽出部４３、映像信号生成部４４およびタイミング信号生成部４６は、例えば、ＬＳＩ等の集積回路によって構成され、選択色指定部４２は、例えば、キーボード装置やポインティングデバイス等の入力装置によって構成される。
【００３０】
また、選択色抽出部４３および映像信号生成部４４は、本発明における映像信号分離手段を構成する。
【００３１】
バッファ４５にバッファリングされた映像信号およびタイミング信号生成部４６によって生成されたタイミング信号は、出力端子４７、４８を介して表示装置９に向けてそれぞれ出力される。
【００３２】
以上のように構成された映像信号伝送システム１において、図５を用いてその動作を説明する。
【００３３】
まず、カメラ２乃至４によって車両外部がそれぞれ撮影され、撮影された画像を表す各映像信号が、映像信号送信装置５乃至７の各第１入力端子２０に入力される。ここで、画像５１乃至５３は、カメラ２乃至４によって撮影された画像の例をそれぞれ表している。
【００３４】
次に、映像信号送信装置５乃至７の各第１入力端子２０にそれぞれ入力された映像信号から輝度信号が各輝度信号抽出部２１によって抽出され、各バッファ２２にバッファリングされる。
【００３５】
次に、映像信号送信装置５において、バッファ２２にバッファリングされた輝度画像を変換色指定部２４で指定された「赤」の濃淡で表した映像信号が映像信号生成部２３によって生成される。
【００３６】
また、映像信号送信装置６において、バッファ２２にバッファリングされた輝度画像を変換色指定部２４で指定された「緑」の濃淡で表した映像信号が映像信号生成部２３によって生成される。
【００３７】
また、映像信号送信装置７において、バッファ２２にバッファリングされた輝度画像を変換色指定部２４で指定された「青」の濃淡で表した映像信号が映像信号生成部２３によって生成される。ここで、画像５４乃至５６は、映像信号送信装置５乃至７の各映像信号生成部２３によって生成された画像の例をそれぞれ表している。
【００３８】
次に、映像信号送信装置５の映像信号生成部２３によって生成された映像信号と、映像信号送信装置６の映像信号生成部２３によって生成された映像信号とが映像信号送信装置６の映像信号合成部３１によって合成される。ここで、画像５７は、映像信号送信装置６の映像信号合成部３１によって合成された映像信号が表す画像の例を表している。
【００３９】
次に、映像信号送信装置６の映像信号合成部３１によって合成された映像信号と、映像信号送信装置７の映像信号生成部２３によって生成された映像信号とが映像信号送信装置７の映像信号合成部３１によって合成される。ここで、画像５８は、映像信号送信装置７の映像信号合成部３１によって合成された映像信号が表す画像の例を表している。
【００４０】
次に、映像信号送信装置６の映像信号合成部３１によって合成された映像信号は、映像信号受信装置８に受信される。ここで、画像５９は、映像信号受信装置８に受信された映像信号が表す画像の例を表している。
【００４１】
次に、映像信号受信装置８において、選択色指定部４２によって選択された選択色の成分が選択色抽出部４３によって入力映像信号から抽出され、抽出された選択色の成分に基づいて映像信号が映像信号生成部４４によって生成される。
【００４２】
次に、映像信号生成部４４によって生成された映像信号に基づいて表示装置９に画像が表示される。ここで、画像６０は、選択色指定部４２で「赤」が指定されたときに、表示装置９によって表示される画像の例を表している。
【００４３】
このような本発明の一実施の形態の映像信号伝送システム１によれば、３つの輝度画像を１つの映像信号に合成して１つの配線で伝送することができるため、システムの設置にかかる手間を低減することができる。
【００４４】
なお、本実施の形態において、映像信号伝送システム１は、３つのカメラ２乃至４および３つの映像信号送信装置５乃至７を備えるものとして説明したが、２つのカメラおよび２つの映像信号送信装置を備えるようにしてもよい。
【００４５】
また、映像信号受信装置８の映像信号生成部４４は、選択色を他の指定された色で表した映像信号を生成するようにしてもよい。
【００４６】
また、本発明においては、映像信号送信装置５乃至７をカメラ２乃至４にそれぞれ一体に設けてもよく、映像信号受信装置８を表示装置９に一体に設けてもよい。
【産業上の利用可能性】
【００４７】
以上のように、本発明にかかる映像信号送信装置および映像信号受信装置は、システムの設置にかかる手間を低減することができるという効果を有し、例えば、複数の映像信号を伝送する映像信号伝送システムを構成する映像信号送信装置および映像信号受信装置等として有用である。
【図面の簡単な説明】
【００４８】
【図１】本発明の一実施の形態における映像信号伝送システムのブロック図
【図２】本発明の一実施の形態における映像信号伝送システムの実装例を示す概念図
【図３】本発明の一実施の形態における映像信号送信装置のブロック図
【図４】本発明の一実施の形態における映像信号受信装置のブロック図
【図５】本発明の一実施の形態における映像信号伝送システムの動作を説明するための概念図
【符号の説明】
【００４９】
１  映像信号伝送システム
２、３、４  カメラ
５、６、７  映像信号送信装置
８  映像信号受信装置
９  表示装置
２１  輝度信号抽出部
２２、４５  バッファ
２３、４４  映像信号生成部
２４  変換色指定部
２５、２７、４１  同期信号検出部
２８  第１の選択部
２９  第２の選択部
３０  タイミング制御部
３１  映像信号合成部
４２  選択色指定部
４３  選択色抽出部
４６  タイミング信号生成部
【図１】
2007043470.tif 000003
【図２】
2007043470.tif 000004
【図３】
2007043470.tif 000005
【図４】
2007043470.tif 000006
【図５】
2007043470.tif 000007